(57)【要約】      （修正有）【課題】グリーン上にのったゴルフボールの汚れを拭き取る水を含ませた布などを身近に身に付けてその状態で拭くことができる拭き具を提供する。【解決手段】スラックスのベルトなどに挟みこめるようにフックを設け、ベース表面の中央付近にゴルフボールよりやや大きさの半球状の凹みを有し、半球状の凹みの上に水を含侵させた不織布、布、スポンジ等を被せ、それらの上から周辺を押さえ込むように半球状の凹みの外側に下りてくるベース上部又は下部に回転中心を有したベースに具備した押さえ具に押えられた不織布、布、スポンジ等をゴルフボールで押すと本体ベースの半球状の凹みに沿いゴルフボールと面接触が得られゴルフボールを指で回転することで汚れを取り除く事が出来る、又、不織布、布、スポンジ等を取り出す場合には抑え具のロック機構の切り欠き部分のロックを外すことで不織布、布、スポンジ等を取り出すことができる。【選択図】図３
2010063849.tif 000002
【特許請求の範囲】
【請求項１】
プラスチック素材でつくられている本体ベース裏面にスラックスなどのベルトに挟みこめるようにフックを設け、ベース表面の中央付近にゴルフボールよりやや大きさの半球状の凹みを有し、半球状の凹みの上に水を含侵させた不織布、布、スポンジ等を被せ、それらの上から周辺を押さえ込むように半球状の凹みの外側に下りてくるベース上部又は下部に回転中心を有したベースに取り付られた押さえ具が不織布、布、スポンジ等を押さえ込み、押さえ具が不織布、布、スポンジ等を押さえ込んだ状態を保持するロックする構造を下部又は上部に有し、押さえ具に押えられ、取り付けられた不織布、布、スポンジ等で拭き、ゴルフボールの汚れを取り除く事が出来るゴルフボール拭き具。
【発明の詳細な説明】
【技術分野】
【０００１】  本発明は、プラスチック素材でつくられている本体ベース裏面にスラックスなどのベルトに挟みこめるようにフックを設け、ベース表面の中央付近にゴルフボールよりやや大きい半球状の凹みを有し、半球状の凹みの上に水を含侵させた不織布、布、スポンジ等を被せ、それらの上から周辺を押さえ込むように半球状の凹みの外側に下りてくるベース上部又は下部に回転中心を有したベースに取り付けた押さえ具が不織布、布、スポンジ等を押さえ込み、押さえ具が不織布、布、スポンジ等を押さえ込んだ状態を保持するロック構造を下部又は上部に有し、押さえ具に押え、取り付けられた不織布、布、スポンジ等の上からゴルフボールを押し当てると不織布、布、スポンジ等が半球状の凹みに沿い、ゴルフボールと面接触ができ、ゴルフボールを指先で回転させることで不織布、布、スポンジ等にゴルフボールが沿って面接触していることで、ゴルフボールの面の汚れを拭きとることが出来るゴルフボール拭き具に関する。
【背景技術】
【０００２】  ゴルフを趣味に掲げる人が一般的になり、ゴルフ場に出かける事が多くなっている。ゴルフ場に於いてもそれぞれランクがあり、会員のみを守っているゴルフ場は稀で、会員及び一般のお客も受け入れるゴルフ場が殆どである。又、そのゴルフ場でもキャディーを常駐させ、一緒にゴルフプレイを強制することは昨今では少なくなり、キャディーを必要とするかどうかはお客の選択に任される。一ヶ月に何回もゴルフを行う人、少ないお小遣いからゴルフをする人にとってはキャディーフィーの金額が大きな負担である。【０００３】  そのようなことで、キャディーを必要としないでゴルフプレイを行う。その事を一般的にセルフと呼ぶ。セルフでゴルフプレイする場合は自分で打つ方向、球探し、クラブの管理は各自が行いながらゴルフプレイをしていく。ゴルフボールがグリーン上に乗って初めてゴルフボールを持ち上げてゴルフボールを拭く事が出来る。キャディーが付いていればゴルフボールを布で拭いてくれるがセルフの場合には自分で拭く。布の持ち合わせが無ければ手で拭く事になる。又、布をキャディーバックに置いてきてしまえば自分で取りに行く事になる。グリーンの一打もティーショットの一打も同じ一打のスコアーのため、ゴルフボールを入念に拭く気持ちになる。
【発明の開示】
【発明が解決しようとする課題】
【０００４】  ゴルフプレイを行う際に、水を含ませたゴルフボールを拭く布を体の一部に取り付けることができ、衣服にも濡れないように配慮し、ゴルフプレイを行うには支障のないようにゴルフボールを拭くことができるようにする。
【課題を解決するための手段】
【０００５】  本発明はプラスチック素材でつくられている本体ベース裏面にスラックスなどのベルトに挟みこめるようにフックを設け、ベース表面の中央付近にゴルフボールよりやや大きさの半球状の凹みを有し、半球状の凹みの上に水を含侵させた不織布、布、スポンジ等を被せ、それらの上から周辺を押さえ込むように半球状の凹みの外側に下りてくるベース上部又は下部に回転中心を有したベースに取り付られた押さえ具が不織布、布、スポンジ等を押さえ込み、押さえ具が不織布、布、スポンジ等を押さえ込んだ状態を保持するロック構造を下部又は上部に有し押さえ具に押えられ、取り付けた不織布、布、スポンジ等でゴルフボールを指先で回転して拭き、ゴルフボールの汚れを取り除く事が出来るゴルフボール拭き具。
【発明の効果】
【０００６】  本発明のゴルフボール拭き具はセルフでゴルフプレイをする際にゴルフボール拭き具をプレイに邪魔にならない位置で腰のベルト、スカートのベルト部分にフックを利用して挟み込み、不織布、布、スポンジ等に水を含浸させ、適宜、絞ったものをゴルフボール拭き具の押さえ具のロックを外し、本体ベースに中央付近の半球状の上に置き抑え具で挟み、この状態でゴルフボールを不織布、布、スポンジ等に押し付けると本体ベースの曲面に沿って不織布、布、スポンジ等が凹みゴルフボールと面接触ができゴルフボールを指で回転して汚れを取り除く事が出来るゴルフボール拭き具。
【発明を実施するための最良の形態】
【０００７】  本発明は球体のゴルフボールに付着した汚れを落とす為には、水で洗うか濡れた布などを手に持ちゴルフボールを包みながら回転することが汚れを拭き取ることが一般的な手段である。その動作はゴルフボールと布などと面接触の状態を再現することにある。ゴルフボールを拭く際に布などを持たずにホルダーに装着したままの状態でゴルフボールを当て指先で回転して汚れを拭き取る状態を本発明は考慮した。本体ベースにゴルフボールよりやや大きい半球状の凹みを設けその上に水を含浸させた不織布、布、スポンジ等を折りたたんで乗せ、本体ベースに具備された押さえ具が不織布、布、スポンジ等の周辺を押さえる。ゴルフボールを不織布、布、スポンジ等に指で押し付けると本体ベースの半球状に不織布、布、スポンジ等が沿い、ゴルフボールと面接触し、ゴルフボールを指で回転させると汚れが拭き取れる。又、入念にゴルフボールを拭く場合には抑え具をロック機構から外し、不織布、布、スポンジ等を取り出しゴルフボールに巻きつけ手で拭くことも出来る。本体ベースの裏面にベルトなどに挟みこむことが出来るフックが用意されている。以下に図面を参照にして説明をする。
【実施例】
【０００８】  図１は本発明にゴルフボールを押し当てたゴルフボール拭き具の斜視図の一例である。図２は図１のゴルフボールを外し、不織布、布、スポンジ等に凹みが生じているゴルフボール拭き具の斜視図の一例である。図３は図１の断面図の一例であり、図４はその平面図の一例である。図１で判るように本体ベース１の下部に回転軸受け２を設け押さえ具３の軸部分を回転軸受け２に取付、不織布、布、スポンジ等４を押さえ具３を回転させて押える。押さえ具３は本体ベース１の上部にあるロック機構の切り欠き８で固定される。不織布、布、スポンジ等４にゴルフボール５を当てている状態を表している一例である。図２は図１のゴルフボール５を外し不織布、布、スポンジ等に半球状の凹み６が生じているのを表している。半球状の凹み６とボルフボール５が面接触をしていることを表し、指でゴルフボール５を不織布、布、スポンジ等４に押し付けながら回転させる。【０００９】  図３は断面図の一例で、本体ベース１の中央付近にゴルフボール５よりやや大きめの半球状の凹み６を設け本体ベース１下部の回転軸受け２に押さえ具３の軸部分を挿入又は取付、回転支点７となり、押さえ具３はこの回転支点７を中心に回転する。本体ベース１の上部に押さえ具３を保持する為のロック機構の切り欠き８を具備し抑え具３を保持する。押さえ具３を切り欠き８から外し、本体ベース１中央付近にある半球状の凹み６上に水を含浸した不織布、布、スポンジ等４を置き、抑え具３を用いて不織布、布、スポンジ等４の周辺を押さえる。押さえ具３はロック機構の切り欠き８で保持される。不織布、布、スポンジ等４の上にゴルフボール５で押しあてると不織布、布、スポンジ等４は本体ベース１に形状が作られている半球状の凹み６に沿ってゴルフボール５と面接触する。且つ、ゴルフプレイする際にベルトなどに取り付けることが出来るように本体ベース１の裏面にフック９を設け、ベルトなどに差込ができるようにした。
【産業上の利用可能性】
【００１０】  セルフでゴルフプレイする場合はキャディーが付いていればゴルフボールを布で拭いてもらえるがセルフの場合には自分で拭く。布の持ち合わせが無ければ手で拭く事になる。又、布をキャディーバックに置いてきてしまえば自分で取りに行く事になる。ベルトに本発明のゴルフボール拭き具を用意すればグリーンで同伴者がプレイしているのを見ながら、ゴルフボールをゴルフボール拭き具で気楽に拭くことができ、メンタルなスポーツであるゴルフで気持ちよくプレイできる利点がある。
【図面の簡単な説明】
【００１１】
【図１】本発明にゴルフボールを押し当てたゴルフボール拭き具の斜視図の一例
【図２】図１のゴルフボールを外し、不織布、布、スポンジ等に凹みが生じているゴルフボール拭き具の斜視図の一例
【図３】図１の断面図の一例
【図４】図３の平面図の一例
【符号の説明】
【００１２】１  本体ベース
２  回転軸受け
３  押さえ具
４  不織布、布、スポンジ等
５  ゴルフボール
６  半球状の凹み
７  回転支点
８  切り欠き
９  フック
【図１】
2010063849.tif 000003
【図２】
2010063849.tif 000004
【図３】
2010063849.tif 000005
【図４】
2010063849.tif 000006